(57)【要約】  空気調和機の室内機は、上下風向板は、停止時に筐体の下面の一部を構成する意匠面と反対側の面に上下風向板の着脱操作方法が記載された内側面を有し、お手入れ動作が開始したら、上下風向板の第一着脱機構部、及び、上下風向板の着脱操作方法が記載された内側面が露出するものである。  上記構成により、お手入れの作業を行う際に、ユーザーが直感的に作業手順を認識することができる。
2017130320.tif 000002
【特許請求の範囲】
【請求項１】
吸込み口及び吹出し口を有する筐体と、  前記筐体の内部に設けられ、前記吸込み口から室内空気を吸い込み、前記吹出し口から空調空気を吹き出す送風機と、  前記筐体の内部に設けられ、冷媒と室内空気とで熱交換することで空調空気を作り出す熱交換器と、  前記吹出し口に着脱可能かつ回動可能に設けられ、前記吹出し口からの空調空気を上下方向に可変する上下風向板と、  前記上下風向板を着脱する際に操作される第一着脱機構部と、  前記吹出し口に着脱可能に設けられ、前記吹出し口からの空調空気を左右方向に可変する左右風向板と、  前記筐体の内部の保守に関するお手入れ動作の開始を指示する指示手段と、  前記お手入れ動作の開始が指示されたらお手入れ動作を開始する制御装置と、を備え、  前記上下風向板は、  停止時に前記筐体の下面の一部を構成する意匠面と反対側の面に前記上下風向板の着脱操作方法が記載された内側面を有し、  前記お手入れ動作が開始したら、  前記上下風向板の前記第一着脱機構部、及び、前記上下風向板の着脱操作方法が記載された前記内側面が露出する  空気調和機の室内機。
【請求項２】
前記左右風向板を着脱する際に操作される第二着脱機構部を備え、  前記第二着脱機構部には、前記左右風向板の着脱操作方法が記載されており、  前記上下風向板の前記第一着脱機構部、及び、前記上下風向板の着脱操作方法が記載された前記内側面が露出した後、  前記上下風向板を取り外すと、前記左右風向板の着脱操作方法が記載された前記第二着脱機構部が露出する  請求項１に記載の空気調和機の室内機。
【請求項３】
前記指示手段はお手入れ動作の完了を指示する機能を有し、  前記お手入れ動作の完了が指示されたら、  前記上下風向板は停止時と同じ位置に移動する  請求項１または２に記載の空気調和機の室内機。
【請求項４】
電源を供給する電源プラグを備え、  前記電源プラグに通電すると、前記上下風向板は停止時と同じ位置に移動する  請求項１〜３のいずれか一項に記載の空気調和機の室内機。
【請求項５】
前記吹出し口に回動可能に設けられ、前記吹出し口からの空調空気を上下方向に可変する上下補助風向板を備え、  前記左右風向板は、複数の羽根部が設けられ、回転軸を中心に回動可能に設けられた左右風向板台座を備え、  前記お手入れ動作が開始した後、  前記上下補助風向板は、前記左右風向板の回動軌跡よりも外側に移動する  請求項１〜４のいずれか一項に記載の空気調和機の室内機。
【請求項６】
前記上下補助風向板を複数備え、  前記お手入れ動作が開始した後、  全ての前記上下補助風向板は、前記左右風向板の回動軌跡よりも外側に移動する  請求項５に記載の空気調和機の室内機。
【請求項７】
お手入れ動作が完了したこと、及び、お手入れ動作中であること、のうち少なくともいずれか一方の報知を行う報知手段を備えた  請求項１〜６のいずれか一項に記載の空気調和機の室内機。
【請求項８】
前記指示手段はリモートコントローラである  請求項１〜７のいずれか一項に記載の空気調和機の室内機。
【請求項９】
前記制御装置は、  停止時にのみお手入れ動作の開始の指示を受け付けるものである  請求項１〜８のいずれか一項に記載の空気調和機の室内機。
【請求項１０】
前記制御装置は、  前記上下風向板及び前記左右風向板が取り付けられている状態でのみお手入れ動作の完了の指示を受け付けるものである  請求項３または請求項３に従属する請求項４〜９のいずれか一項に記載の空気調和機の室内機。
【発明の詳細な説明】
【技術分野】
【０００１】  本発明は、内部のお手入れの作業性の向上を図った空気調和機の室内機に関するものである。
【背景技術】
【０００２】  従来の空気調和機の室内機において、内部のお手入れの作業性の向上を図ったものがある（例えば、特許文献１参照）。【０００３】  特許文献１では、室内機の内部のお手入れの作業性を向上させるため、吹出し口に配置された上下風向板及び左右風向板が着脱自在な構成となっている。
【先行技術文献】
【特許文献】
【０００４】
【特許文献１】特開平９−４９１６号公報
【発明の概要】
【発明が解決しようとする課題】
【０００５】  従来の空気調和機の室内機は、上下風向板及び左右風向板を着脱可能な構成にしているが、それら部品の着脱を行うためには作業手順を取扱説明書で確認しながら行う必要がある。また、ユーザーが着脱可能な構成であることを認識していない場合が多く、室内機の内部のお手入れを容易に行うことができないという課題があった。【０００６】  本発明は、以上のような課題を解決するためになされたもので、お手入れの作業を行う際に、ユーザーが直感的に作業手順を認識することができ、お手入れの作業性を向上した空気調和機の室内機を得ることを目的とする。
【課題を解決するための手段】
【０００７】  本発明に係る空気調和機の室内機は、吸込み口及び吹出し口を有する筐体と、前記筐体の内部に設けられ、前記吸込み口から室内空気を吸い込み、前記吹出し口から空調空気を吹き出す送風機と、前記筐体の内部に設けられ、冷媒と室内空気とで熱交換することで空調空気を作り出す熱交換器と、前記吹出し口に着脱可能かつ回動可能に設けられ、前記吹出し口からの空調空気を上下方向に可変する上下風向板と、前記上下風向板を着脱する際に操作される第一着脱機構部と、前記吹出し口に着脱可能に設けられ、前記吹出し口からの空調空気を左右方向に可変する左右風向板と、前記筐体の内部の保守に関するお手入れ動作の開始を指示する指示手段と、前記お手入れ動作の開始が指示されたらお手入れ動作を開始する制御装置と、を備え、前記上下風向板は、停止時に前記筐体の下面の一部を構成する意匠面と反対側の面に前記上下風向板の着脱操作方法が記載された内側面を有し、前記お手入れ動作が開始したら、前記上下風向板の前記第一着脱機構部、及び、前記上下風向板の着脱操作方法が記載された前記内側面が露出するものである。
【発明の効果】
【０００８】  本発明に係る空気調和機の室内機によれば、お手入れの作業を行う際には、ユーザーは指示手段によりお手入れ動作の開始を指示する。そして、お手入れ動作の開始が指示されたら、上下風向板の第一着脱機構部、及び、着脱操作方法が記載された内側面が露出するものである。そのため、上下風向板の内側面に記載の着脱操作方法にしたがって上下風向板を取り外すことができ、室内機の内部のお手入れの作業性を向上させることができる。
【図面の簡単な説明】
【０００９】
【図１】本発明の実施の形態１に係る空気調和機の冷媒回路を示した概略図である。
【図２】本発明の実施の形態１に係る空気調和機の室内機を正面側から見た斜視図である。
【図３】本発明の実施の形態１に係る空気調和機の室内機の停止時を側面側から見た断面概略図である。
【図４】本発明の実施の形態１に係る空気調和機のリモートコントローラの外観図である。
【図５】本発明の実施の形態１に係る空気調和機の室内機のお手入れ時を側面側から見た断面概略図である。
【図６】本発明の実施の形態１に係る空気調和機の室内機のお手入れ時を正面側から見た斜視図である。
【図７】本発明の実施の形態１に係る空気調和機の室内機の上下風向板着脱機構部の拡大図である。
【図８】本発明の実施の形態１に係る空気調和機の室内機の吹出し口近傍の上下風向板が外れた状態の外観図である。
【図９】本発明の実施の形態１に係る空気調和機の室内機の左右風向板周辺の拡大図である。
【図１０】本発明の実施の形態１に係る空気調和機の室内機の吹出し口近傍の左右風向板を取り外した状態の外観図である。
【図１１】本発明の実施の形態２に係る空気調和機の室内機の停止時を側面側から見た断面概略図である。
【図１２】本発明の実施の形態２に係る空気調和機の室内機の運転時を側面側から見た断面概略図である。
【図１３】本発明の実施の形態２に係る空気調和機の室内機のお手入れ時を側面側から見た断面概略図である。
【図１４】本発明の実施の形態２に係る空気調和機の室内機のお手入れ時に上下風向板を取り外した状態を側面側から見た断面概略図である。
【図１５】本発明の実施の形態２に係る空気調和機の室内機の吹出し口近傍の左右風向板を取り外した状態を下面側から見た斜視図である。
【発明を実施するための形態】
【００１０】  以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】  実施の形態１．  以下、本実施の形態１について図１−１０を用いて説明する。
【００１２】＜空気調和機の構成＞  図１は、本発明の実施の形態１に係る空気調和機１の冷媒回路１３を示した概略図である。  図１に示すように、空気調和機１は、室内機２と、室外機３とを備えている。室内機２は、室内熱交換器４と、室内送風機５とを備えている。室外機３は、室外熱交換器６と、室外送風機７と、圧縮機８と、四方切換弁９と、膨張弁１０とを備えている。室内機２と室外機３とは、ガス側連絡配管１１及び液側連絡配管１２により互いに接続されており、これにより冷媒回路１３が構成されている。  なお、室内送風機５は、本発明の「送風機」に相当する。
【００１３】  冷媒回路１３は、圧縮機８、四方切換弁９、室外熱交換器６、膨張弁１０、及び、室内熱交換器４が順次配管で接続され、冷媒が循環する。  この空気調和機１では、四方切換弁９の経路を切り換えることにより、冷房運転と暖房運転とを切り換えることができる。図１において実線で示される四方切換弁９の経路の場合、空気調和機１は冷房運転を行う。一方、図１において破線で示される四方切換弁９の経路の場合、空気調和機１は暖房運転を行う。
【００１４】＜室内機の構成＞  図２は、本発明の実施の形態１に係る空気調和機１の室内機２を正面側から見た斜視図であり、図３は、本発明の実施の形態１に係る空気調和機１の室内機２の停止時を側面側から見た断面概略図である。  図２において、室内機２の壁面Ｋ側にある面を背面とし、背面の対面を前面とし、天井Ｔ側にある面を天面とし、天面の対面を下面とし、図２の右側の側面を右側面とし、右側面の対面を左側面として以下の説明をする。また、室内機２の内部部品についても同様の説明をする。また、風向においては、天面側を上方向、下面側を下方向、前面側を正面方向、背面側を後ろ方向、左側面側を左方向、右側面側を右方向として説明する。
【００１５】  室内機２は、図２に示すように、横長の直方体形状に形成された筐体２０を有する。ただし、筐体２０は、横長の直方体形状に限定されず、図３に示すように前面吸込み口２１ａ及び天面吸込み口２１ｂのような室内空気を吸い込むための開口部と、下面の吹出し口２２のような空調空気を吹き出すための開口部とが一箇所以上設けられている箱体形状であれば、いかなる形状でもよい。
【００１６】  図２に示すように、室内機２を横長の直方体形状とした場合、筐体２０の前面と下面、つまり、前面パネル２３と下面パネル２６とで角部が形成されている。また、吹出し口２２を筐体２０の下面のみに設けた場合、運転停止時の室内機２を正面から見た時に、吹出し口２２が見えないようになっている。そのため、意匠性を向上させることができる。
【００１７】  筐体２０は、前面が前面パネル２３で、左右側面が側面パネル２４で、背面が背面パネル２５で、下面が背面パネル２５、下面パネル２６、及び、上下風向板２８で、天面が天面パネル２７で、それぞれ覆われている。また、前面パネル２３は、筐体２０の長手方向、つまり水平方向または左右方向に沿って凹んだ開口部を備え、天面パネル２７は格子状の開口部を備え、これらが天面吸込み口２１ｂとなる。なお、本実施の形態では、前面吸込み口２１ａと天面吸込み口２１ｂとを備えているが、少なくとも天面吸込み口２１ｂを備えていればよい。
【００１８】  また、図３に示すように、筐体２０の内部の背面側には、風路４１の背面側を形成するケーシング背壁３９が、筐体２０の内部の前面側には、風路４１の前面側を形成するケーシング前壁４０が、それぞれ設けられている。そして、ケーシング背壁３９及びケーシング前壁４０で、室内送風機５の下流側の風路４１を形成している。具体的には、ケーシング背壁３９及びケーシング前壁４０は、室内送風機５の下流側から吹出し口２２に延びており、室内送風機５からの空気が吹出し口２２に誘導されるように形成されている。
【００１９】  吹出し口２２の近傍には、水平または左右の風向を変更する左右風向板３６と、鉛直または上下の風向を変更する上下風向板２８とが設けられている。なお、左右風向板３６は、一部が着脱可能に設けられており、上下風向板２８は、全部が着脱可能に設けられている。
【００２０】  上下風向板２８は、図３に示すように、筐体２０の下面の一部を構成し、筐体２０の内部の背面側に設けられたケーシング背壁３９の下部の近傍に配置され、上下風向支持部材２９によって上下風向板回転軸３０の回りを回動可能に支持されている。この上下風向板２８は長手方向に沿って延びており、上下方向について吹出し口２２から吹出される空気の風向を変更するとともに、吹出し口２２の開閉を行う。
【００２１】  この上下風向板２８は、駆動モータ（図示せず）が駆動されることによって、上下風向板回転軸３０を中心に上側構造当たり（全閉状態）から下側構造当たり（全開状態）までの範囲を回動できるようになっている。
【００２２】  筐体２０の内部にはモータ（図示せず）の駆動によって空気の流れを生じさせる室内送風機５が収納されており、室内送風機５の周囲には室内熱交換器４が配置されている。室内熱交換器４は、冷媒回路１３を循環する冷媒と室内送風機５によって供給される室内空気との間で熱交換させ、空調空気を作り出す。また、室内熱交換器４の上流側にはフィルター３７が配置され、室内熱交換器４の下にはドレンパン３８が配置され、室内熱交換器４からのドレン水を回収する。
【００２３】  図４は、本発明の実施の形態１に係る空気調和機１のリモートコントローラ７１の外観図である。  本実施の形態１に係る空気調和機１の室内機２は、図４に示すように、室内機２を遠隔操作するリモートコントローラ７１を備えている。また、図３に示すように、リモートコントローラ７１の操作または直接操作に応じて、室内機２の運転を制御する制御装置７０が設けられている。
【００２４】  ここで、室内機２内における空気の流れについて簡単に説明する。  前面吸込み口２１ａ及び天面吸込み口２１ｂから吸いこまれた室内空気は、フィルター３７によって室内空気に含まれている塵埃が除去される。この室内空気は、室内熱交換器４を通過する際に室内熱交換器４の内部を流れる冷媒と熱交換され、冷房運転であれば、冷やされ、暖房運転であれば、温められて、室内送風機５に至る。室内送風機５の内部、または室内送風機５と背面パネル２５との隙間を通過した空調空気は、風路４１を通過し、吹出し口２２から前方、または下方に向かって吹き出される。
【００２５】  ＜お手入れの手順＞  リモートコントローラ７１は、図４に示すように、室内機２に指示信号を発信する発信部７２と、設定内容を表示する液晶画面７３と、電源を入り切りする電源ボタン７４と、筐体２０の内部の点検、清掃など保守に関する動作であるお手入れ動作の開始をする際に押す、つまり、お手入れ動作の開始を指示するお手入れ開始ボタン７５と、お手入れ動作が完了した際に押す、つまり、お手入れ動作の完了を指示するお手入れ完了ボタン７６と、を備えている。また、室内機２には、リモートコントローラ７１から送信された指示信号を受信するための受信部（図示せず）を備えている。リモートコントローラ７１に、お手入れ開始ボタン７５とお手入れ完了ボタン７６とを備えているので、ユーザーは取扱説明書を見なくても、お手入れが可能であることを容易に認識することができる。
【００２６】  なお、本実施の形態１では、リモートコントローラ７１に、お手入れ開始ボタン７５と、お手入れ完了ボタン７６とを備えている場合について説明するが、１つのボタンでお手入れの開始動作と完了動作を交互に送信する構成にしてもよい。そうすることで、リモートコントローラ７１のボタン数の削減を図ることができる。
【００２７】  また、メニュー項目の中にお手入れ開始機能、お手入れ完了機能を持たせ、選択操作により、信号を送信してもよい。また、お手入れ開始ボタン７５及びお手入れ完了ボタン７６の代わりにスイッチなどでもよい。また、例えば室内機２にお手入れ動作の開始を指示する手段を設けるなど、リモートコントローラ７１の代わりにお手入れ動作を指示する手段を設けてもよい。  なお、リモートコントローラ７１は、本発明の「指示手段」に相当する。
【００２８】  ユーザーが、空気調和機１が停止中に、リモートコントローラ７１のお手入れ開始ボタン７５を押すことにより、お手入れ動作の開始が指示され、制御装置７０はお手入れ動作を開始する。ここで、空気調和機１が運転中にお手入れ開始ボタン７５を押した場合は、制御装置７０はその操作、つまりお手入れ動作の開始の指示を受け付けず、無効操作として液晶画面７３に無効操作の表示をする。逆に言うと、制御装置７０は空気調和機１が運転停止時のみお手入れ開始ボタン７５の操作を受け付ける。これは、室内機２の運転中は室内送風機５が駆動しており、駆動中の室内送風機５にユーザーが触れたりするのを防止するため、お手入れできないようにしている。
【００２９】  なお、お手入れ開始ボタン７５を押すと強制的に運転を停止する仕様も可能ではあるが、誤操作による運転停止を防ぐことを目的として、本実施の形態１では、運転中のお手入れ開始ボタン７５の操作は無効操作としている。また、お手入れ動作の開始後は、お手入れ完了するまでお手入れ動作中であることを音、光などの報知手段で報知することで、ユーザーによる誤操作を抑制することができる。また、お手入れ動作中は他の動作を受け付けなくすることで、例えばお手入れ中に室内送風機５が駆動したりするのを防ぐことができる。なお、報知手段は例えばＬＥＤ、スピーカーなどであり、室内機２に設けてもよいし、リモートコントローラ７１に設けてもよい。
【００３０】  図５は、本発明の実施の形態１に係る空気調和機１の室内機２のお手入れ時を側面側から見た断面概略図である。  次に、お手入れ開始ボタン７５を押した後の室内機２の動作について図５を用いて説明する。  空気調和機１の運転停止中に、リモートコントローラ７１のお手入れ開始ボタン７５が押されると、制御装置７０は、お手入れ開始ボタン７５の操作を受け付ける。つまり、制御装置７０は、お手入れ動作の開始の指示を受け付ける。その後、お手入れ動作が開始され、上下風向板２８は、上下風向板駆動用モータ５１（後述する図８参照）が回転することで上下風向板回転軸３０を中心として回転し、停止時に意匠面をなす面（以下、意匠面と称する）と反対側の面（以下、内側面と称する）が正面を向く状態で上下風向板２８が停止する。
【００３１】  図６は、本発明の実施の形態１に係る空気調和機１の室内機２のお手入れ時を正面側から見た斜視図であり、図７は、本発明の実施の形態１に係る空気調和機１の室内機２の上下風向板着脱機構部５６の拡大図である。  お手入れ開始ボタン７５が押されると、お手入れ動作が開始され、図６に示すように、上下風向板２８は、停止時に内側面が正面を向く状態で停止し、図７に示すように、上下風向板２８を着脱する際に操作する上下風向板着脱機構部５６が露出する。つまり、上下風向板着脱機構部５６が外から見えるようになる。さらに、上下風向板着脱機構部５６の近傍には、上下風向板２８の着脱操作方法２８ａが記載されており、取扱説明書を見なくても、着脱操作方法が容易に分かる。
【００３２】  そして、上下風向板着脱機構部５６を、着脱操作方法２８ａに記載されている操作の方向にスライドさせることで、上下風向板２８は、上下風向板中央支持部５５から離脱するため、上下風向板２８を室内機２から取り外すことができる。上下風向板中央支持部５５の内部には安全スイッチ（図示せず）が設けられており、上下風向板２８が室内機２から取り外された状態では、室内送風機５が駆動しないように安全スイッチが働く構成となっている。  なお、上下風向板着脱機構部５６は、本発明の「第一着脱機構部」に相当する。
【００３３】  図８は、本発明の実施の形態１に係る空気調和機１の室内機２の吹出し口２２近傍の上下風向板２８が外れた状態の外観図である。  左右風向板３６は、図８に示すように、羽根部６０及び左右風向板台座６１を備えており、複数の羽根部６０が、左右風向板台座６１上に設けられている。この左右風向板台座６１は、左右風向板台座回転軸６４（図８参照）を中心に回動可能に設けられている。
【００３４】  また、複数の羽根部６０は、左右風向板連結棒６２、連結部６６、及び、左右風向板駆動用モータ連結棒６５によって、左右風向板駆動用モータ５４と連結している。そして、左右風向板駆動用モータ５４の回転により、左右風向板連結棒６２が左右に移動し、羽根部６０の向きを変更することができる。
【００３５】  図９は、本発明の実施の形態１に係る空気調和機１の室内機２の左右風向板３６周辺の拡大図であり、図１０は、本発明の実施の形態１に係る空気調和機１の室内機２の吹出し口２２近傍の左右風向板３６を取り外した状態の外観図である。なお、ここでいう左右風向板３６を取り外した状態とは、図１０に示すように、左右風向板３６の一部が取り外されている状態であるものとする。  左右風向板台座６１は、左右風向板３６を着脱する際に操作する左右風向板台座つまみ６３で固定されており、左右風向板台座つまみ６３には着脱操作方法６３ａが記載されている。この左右風向板台座つまみ６３は、上下風向板２８を室内機２から取り外すと露出するようになっている。つまり、上下風向板着脱機構部５６が外から見えるようになっている。
【００３６】  そして、着脱操作方法６３ａに記載された操作の方向に左右風向板台座つまみ６３を持って引くと、左右風向板台座６１が左右風向板台座回転軸６４（図８参照）を中心に回動し、左右風向板３６、つまり左右風向板台座６１が吹出し口２２の外へ移動する。  なお、左右風向板台座つまみ６３は、本発明の「第二着脱機構部」に相当し、左右風向板台座回転軸６４は、本発明の「回転軸」に相当する。
【００３７】  以上の操作により、吹出し口２２に設けられた上下風向板２８及び左右風向板３６は容易に取り外すことができ、ケーシング背壁３９、ケーシング前壁４０、及び、室内送風機５のお手入れを行うことが可能となる。
【００３８】  ケーシング背壁３９、ケーシング前壁４０、及び、室内送風機５のお手入れが完了した後は、左右風向板３６を元に戻し、上下風向板２８を室内機２に取り付ける。上下風向板２８を取り付けた後、リモートコントローラ７１のお手入れ完了ボタン７６が押されると、制御装置７０は、お手入れ完了ボタン７６の操作を受け付ける。つまり、制御装置７０は、お手入れ動作の完了の指示を受け付ける。その後、上下風向板２８が停止状態（図３参照）に戻る。そして、お手入れ動作が完了したことを光、音などの報知手段で報知することで、お手入れ動作が完了したことをユーザーに知らせることができる。
【００３９】  また、上下風向板２８及び左右風向板３６が室内機２に取り付けられている状態でのみ制御装置７０が、お手入れ完了ボタン７６の操作を受け付ける、つまり、お手入れ動作の完了の指示を受け付けるようにするとよい。そうすることで、異常な状態、例えば上下風向板２８が取り付けられていない状態でお手入れ動作が完了するのを防ぐことができ、常に正常にお手入れ動作を完了させることができる。
【００４０】  なお、上下風向板２８及び左右風向板３６が室内機２に取り付けられていない状態でお手入れ完了ボタン７６が押されたら、上下風向板２８及び左右風向板３６を室内機２に取り付けるように光、音などの報知手段で報知する、または、液晶画面７３にその旨を表示するとよい。そうすることで、上下風向板２８及び左右風向板３６の付け忘れを防止することができる。
【００４１】  上下風向板２８は、停止時には筐体２０の内部に収納されており、お手入れが完了した後の停止時に室内のほこりが堆積することはないが、上下風向板２８が筐体２０の内部に収納されない構成であっても、お手入れを行う手順が容易であることには変わりない。
【００４２】  なお、一般に室内機２は高所に取り付けられることから、上下風向板２８を取り外す作業の実施中に、他者がリモートコントローラ７１を操作して不意に運転が開始することで、ユーザーが驚いて転落してしまう可能性がある。そこで、その予防のために、電源プラグ（図示せず）を抜いてからの作業を推奨しており、リモートコントローラ７１のお手入れ開始ボタン７５が押されると、上下風向板２８が回動するとともに、液晶画面７３には、「電源プラグをコンセントから抜いてください」というメッセージを表示して、電源プラグをコンセントから抜く操作をユーザーに促すことで、さらに安全性を高めることができる。
【００４３】  なお、電源プラグを抜いてからの上下風向板２８の取り外し、左右風向板３６の取り外し、ケーシング背壁３９のお手入れ、ケーシング前壁４０のお手入れ、室内送風機５のお手入れ、左右風向板３６の取り付け、及び、上下風向板２８の取り付けに関する操作は、前述と同じであるが、電源プラグをコンセントに差すと、上下風向板２８が停止状態（図３参照）に戻るようにすることで、リモートコントローラ７１に設けたお手入れ完了ボタン７６による操作を廃止することができる。
【００４４】  以上より、本実施の形態１に係る空気調和機１の室内機２によれば、お手入れの作業を行う際には、ユーザーはリモートコントローラ７１のお手入れ開始ボタン７５を押す。そして、お手入れ開始ボタン７５が押下されたら、お手入れ動作が開始され、上下風向板２８の上下風向板着脱機構部５６、及び、着脱操作方法２８ａが記載された内側面が露出する。そのため、上下風向板２８の内側面に記載の着脱操作方法２８ａにしたがって上下風向板２８を取り外すことができる。
【００４５】  また、上下風向板２８を室内機２から取り外すと、着脱操作方法６３ａが記載された左右風向板台座つまみ６３が露出するようになっている。そして、着脱操作方法６３ａに記載された操作の方向に左右風向板台座つまみ６３を持って引くと、左右風向板台座６１が左右風向板台座回転軸６４（図８参照）を中心に回動し、左右風向板３６、つまり左右風向板台座６１を吹出し口２２の外へ移動することができる。
【００４６】  以上、上下風向板２８の内側面に記載された着脱操作方法２８ａ、及び、左右風向板台座つまみ６３に記載された着脱操作方法６３ａにしたがって、吹出し口２２に設けられた上下風向板２８、及び、左右風向板３６は容易に取り外すことができる。そして、ケーシング背壁３９、ケーシング前壁４０、及び、室内送風機５のお手入れを行うことが可能となる。そのため、室内機２の内部のお手入れの作業性を向上させることができる。
【００４７】  実施の形態２．  以下、本実施の形態２について図１１−１５を用いて説明する。  なお、図１の空気調和機１の冷媒回路１３、図２の空気調和機１の室内機２の斜視図の構成については、実施の形態１と同じであるので説明を省略する。
【００４８】  図１１は、本発明の実施の形態２に係る空気調和機１の室内機２の停止時を側面側から見た断面概略図である。  本実施の形態２では、図１１に示すように、実施の形態１の構成に対して、第一上下補助風向板３１、第一上下補助風向板回転軸３２、第二上下補助風向板３３、及び、第二上下補助風向板回転軸３５が追加された構成となっている。そして、追加された上記の部品はすべて、停止時には筐体２０の内部に収納された構成となっている。  なお、第一上下補助風向板３１及び第二上下補助風向板３３は、本発明の「上下補助風向板」に相当する。
【００４９】  鉛直または上下の風向を変更する第一上下補助風向板３１は、図１１に示すように、筐体２０の内部の前面側に設けられたケーシング前壁４０の下部の近傍に配置され、一端が第一上下補助風向板回転軸３２の回りを回動可能に支持されており、９０°以上回動することができる。この第一上下補助風向板３１は筐体２０の長手方向に沿って延びており、上下方向について吹出し口２２から吹出される空気の風向を変更するとともに、前面パネル２３の結露を抑制する。
【００５０】  また、鉛直または上下の風向を変更する第二上下補助風向板３３は、図１１に示すように、一端が第二上下補助風向板回転軸３５の回りを回動可能に支持されている支持部３３ａと、支持部３３ａの他端に設けられた誘導部３３ｂと、で構成されている。
【００５１】  支持部３３ａは側面視して一方向に長い形状、つまり、縦長な形状を有している。また、誘導部３３ｂは、側面視して支持部３３ａに対して垂直方向に突出するように設けられており、円弧形状のＲ面を有している。支持部３３ａは筐体２０の長手方向に対して数カ所、例えば２箇所に間隔を空けて設けられている。そのため、隣接する支持部３３ａ間には隙間が形成されている。
【００５２】  また、誘導部３３ｂは、筐体２０の長手方向に沿って延びており、上下方向について吹出し口２２から吹出される空気の風向を変更するものである。例えば、誘導部３３ｂが水平方向に傾いている場合は、支持部３３ａの隙間を通過する空気流を水平方向に誘導することができるため、正面吹きが可能となる。
【００５３】  また、第二上下補助風向板３３は、第二上下補助風向板回転軸３５の回りを９０°以上回動することができる。  なお、誘導部３３ｂは側面視して円弧形状のＲ面に限定されないが、平面よりも円弧形状のＲ面の方が風を誘導しやすくなる。また、誘導部３３ｂは、側面視して支持部３３ａに対して厳密に垂直に設けられていなくてもよい。
【００５４】  図１２は、本発明の実施の形態２に係る空気調和機１の室内機２の運転時を側面側から見た断面概略図である。  以下、本実施の形態２で追加された第一上下補助風向板３１、及び、第二上下補助風向板３３の機能について、図１２を用いて説明する。  冷房運転時には冷気が直接ユーザーの体に当たるのを避けるために、一般に風向を水平吹きに設定するが、第一上下補助風向板３１がない場合、冷気によって前面パネル２３が冷やされてしまい、湿った室内空気が前面パネル２３に接触することで前面パネル２３に結露が生じ、結露水が水滴となって部屋を汚損する不具合が想定される。このため、実施の形態１では、水平吹きに対する風向の制約があるが、本実施の形態２では、この課題に対する改善した仕様を提示する。
【００５５】  第一上下補助風向板３１は、吹出し口２２から出る冷気により、空気流に対して上流側の面は冷却されるが、中空構造をとっており、断熱性を有するため、空気流に対して下流側の面で湿った室内空気が接触しても結露が生じない。また、吹出し口２２から出る冷気は、第一上下補助風向板３１によって吹出し口２２近傍の前面パネル２３の下部に直接接触するのを妨げられる。さらに、ケーシング前壁４０の下部である吹出し口２２近傍も、第一上下補助風向板３１によって冷風が直接接触するのを妨げられる。つまり、ケーシング前壁４０の第一上下補助風向板３１よりも前方部分が冷却されることがないため、熱伝導によってケーシング前壁４０に接している前面パネル２３が冷却されることがない。
【００５６】  以上のように、第一上下補助風向板３１を設けることで、前面パネル２３は冷風の影響で冷やされることがなくなるので、前面パネル２３は周囲の空気と同程度の温度になり、前面パネル２３の結露を抑制することができる。
【００５７】  第二上下補助風向板３３は、吹出し口２２から出る冷気を水平方向に変更する役割を担う。第一上下補助風向板３１は、前面パネル２３の結露を抑制する利点はあるが、冷気を垂直方向に変更してしまうため、第一上下補助風向板３１により垂直方向に変更された冷気を受ける位置に、第二上下補助風向板３３の誘導部３３ｂを配置することで、水平方向に変更することが可能となる。
【００５８】  ＜お手入れの手順＞  図１３は、本発明の実施の形態２に係る空気調和機１の室内機２のお手入れ時を側面側から見た断面概略図であり、図１４は、本発明の実施の形態２に係る空気調和機１の室内機２のお手入れ時に上下風向板２８を取り外した状態を側面側から見た断面概略図であり、図１５は、本発明の実施の形態２に係る空気調和機１の室内機２の吹出し口２２近傍の左右風向板３６を取り外した状態を下面側から見た斜視図である。
【００５９】  次に、本実施の形態２のお手入れ作業の手順について図１３−図１５を用いて説明する。  なお、リモートコントローラ７１の構成については、実施の形態１と同じであるので説明を省略する。  リモートコントローラ７１のお手入れ開始ボタン７５を押すと、制御装置７０はお手入れ開始ボタン７５の操作を受け付ける。その後、お手入れ動作が開始され、図１３に示す位置に、上下風向板２８、第一上下補助風向板３１、第二上下補助風向板３３の順に回動する。つまり、第一上下補助風向板３１、及び、第二上下補助風向板３３は可動範囲内で最前部に移動し、上下風向板２８は可動範囲内で最後部に移動する。  次に、実施の形態１と同様の手順により上下風向板２８を取り外すと、図１４に示した状態になる。
【００６０】  次に、実施の形態１と同様の手順により左右風向板３６を回動させると、図１５に示した状態になる。  お手入れ開始ボタン７５が押下されたら、お手入れ動作が開始され、第一上下補助風向板３１及び第二上下補助風向板３３は、可動範囲内で最前部となる位置に移動する。つまり、左右風向板台座６１の回動軌跡よりも外側に移動しており、左右風向板３６の着脱の妨げにならない位置に移動している。そのため、第一上下補助風向板３１及び第二上下補助風向板３３を取り外す必要がなく、実施の形態１に比べて作業性を悪化させることなく、ケーシング背壁３９、ケーシング前壁４０、及び、室内送風機５のお手入れを行うことができる。
【００６１】  ケーシング背壁３９、ケーシング前壁４０、及び、室内送風機５のお手入れが完了した後は、左右風向板３６を元に戻し、上下風向板２８を室内機２に取り付ける。上下風向板２８を取り付けた後、リモートコントローラ７１のお手入れ完了ボタン７６が押されると、制御装置７０はお手入れ完了ボタン７６の操作を受け付ける。その後、第二上下補助風向板３３、第一上下補助風向板３１、上下風向板２８の順で停止状態、つまり、図１１に示す位置に戻る。
【００６２】  以上より、本実施の形態２に係る空気調和機１の室内機２によれば、お手入れ動作が開始したら、第一上下補助風向板３１及び第二上下補助風向板３３は、左右風向板台座６１の回動軌跡よりも外側に移動しており、左右風向板３６の着脱の妨げにならない位置に移動する。そのため、第一上下補助風向板３１及び第二上下補助風向板３３を取り外す必要がなく、実施の形態１に比べて作業性を悪化させることなく、ケーシング背壁３９、ケーシング前壁４０、及び、室内送風機５のお手入れを行うことができる。
【符号の説明】
【００６３】  １  空気調和機、２  室内機、３  室外機、４  室内熱交換器、５  室内送風機、６  室内熱交換器、７  室外送風機、８  圧縮機、９  四方切換弁、１０  膨張弁、１１  ガス側連絡配管、１２  液側連絡配管、１３  冷媒回路、２０  筐体、２１ａ  前面吸込み口、２１ｂ  天面吸込み口、２２  吹出し口、２３  前面パネル、２４  側面パネル、２５  背面パネル、２６  下面パネル、２７  天面パネル、２８  上下風向板、２８ａ  着脱記載方法、２９  上下風向支持部材、３０  上下風向板回転軸、３１  第一上下補助風向板、３２  第一上下補助風向板回転軸、３３  第二上下補助風向板、３３ａ  支持部、３３ｂ  誘導部、３５  第二上下補助風向板回転軸、３６  左右風向板、３７  フィルター、３８  ドレンパン、３９  ケーシング背壁、４０  ケーシング前壁、４１  風路、５１  上下風向板駆動用モータ、５４  左右風向板駆動用モータ、５５  上下風向板中央支持部、５６  上下風向板脱着機構部、６０  羽根部、６１  左右風向板台座、６２  左右風向板連結棒、６３  左右風向板台座つまみ、６３ａ  着脱記載方法、６４  左右風向板台座回転軸、６５  左右風向板駆動用モータ連結棒、６６  連結部、７０  制御装置、７１  リモートコントローラ、７２  発信部、７３  液晶画面、７４  電源ボタン、７５  お手入れ開始ボタン、７６  お手入れ完了ボタン。
【図１】
2017130320.tif 000003
【図２】
2017130320.tif 000004
【図３】
2017130320.tif 000005
【図４】
2017130320.tif 000006
【図５】
2017130320.tif 000007
【図６】
2017130320.tif 000008
【図７】
2017130320.tif 000009
【図８】
2017130320.tif 000010
【図９】
2017130320.tif 000011
【図１０】
2017130320.tif 000012
【図１１】
2017130320.tif 000013
【図１２】
2017130320.tif 000014
【図１３】
2017130320.tif 000015
【図１４】
2017130320.tif 000016
【図１５】
2017130320.tif 000017
【手続補正書】
【提出日】平成30年5月8日(2018.5.8)
【手続補正１】
【補正対象書類名】明細書
【補正対象項目名】０００７
【補正方法】変更
【補正の内容】
【０００７】
本発明に係る空気調和機の室内機は、吸込み口及び吹出し口を有する筐体と、前記筐体の内部に設けられ、前記吸込み口から室内空気を吸い込み、前記吹出し口から空調空気を吹き出す送風機と、前記筐体の内部に設けられ、冷媒と前記室内空気とを熱交換させることで空調空気を作り出す熱交換器と、前記吹出し口に着脱可能かつ回動可能に設けられ、前記吹出し口からの空調空気の風向を上下方向に変更する上下風向板と、前記上下風向板を着脱する際に操作される第一着脱機構部と、前記吹出し口に着脱可能に設けられ、前記吹出し口からの空調空気の風向を左右方向に変更する左右風向板と、前記筐体の内部の保守に関するお手入れ動作の開始を指示する指示手段と、前記お手入れ動作の開始が指示されたらお手入れ動作を開始する制御装置と、を備え、前記上下風向板は、停止時に意匠面をなす面の反対側となる内側面に前記上下風向板の着脱操作方法が記載され、前記お手入れ動作が開始すると、前記上下風向板の前記第一着脱機構部、及び、前記内側面が露出するものである。
【手続補正２】
【補正対象書類名】特許請求の範囲
【補正対象項目名】全文
【補正方法】変更
【補正の内容】
【特許請求の範囲】
【請求項１】
吸込み口及び吹出し口を有する筐体と、
前記筐体の内部に設けられ、前記吸込み口から室内空気を吸い込み、前記吹出し口から空調空気を吹き出す送風機と、
前記筐体の内部に設けられ、冷媒と前記室内空気とを熱交換させることで空調空気を作り出す熱交換器と、
前記吹出し口に着脱可能かつ回動可能に設けられ、前記吹出し口からの空調空気の風向を上下方向に変更する上下風向板と、
前記上下風向板を着脱する際に操作される第一着脱機構部と、
前記吹出し口に着脱可能に設けられ、前記吹出し口からの空調空気の風向を左右方向に変更する左右風向板と、
前記筐体の内部の保守に関するお手入れ動作の開始を指示する指示手段と、
前記お手入れ動作の開始が指示されたらお手入れ動作を開始する制御装置と、を備え、
前記上下風向板は、
停止時に意匠面をなす面の反対側となる内側面に前記上下風向板の着脱操作方法が記載され、
前記お手入れ動作が開始すると、
前記上下風向板の前記第一着脱機構部、及び、前記内側面が露出する
空気調和機の室内機。
【請求項２】
前記左右風向板を着脱する際に操作される第二着脱機構部を備え、
前記第二着脱機構部には、前記左右風向板の着脱操作方法が記載されており、
前記上下風向板が取り外されると、前記左右風向板の着脱操作方法が記載された前記第二着脱機構部が露出する
請求項１に記載の空気調和機の室内機。
【請求項３】
前記指示手段はお手入れ動作の完了を指示する機能を有し、
前記お手入れ動作の完了が指示されたら、
前記上下風向板は停止時と同じ位置に移動する
請求項１または２に記載の空気調和機の室内機。
【請求項４】
前記吹出し口に回動可能に設けられ、前記吹出し口からの空調空気の風向を上下方向に変更する上下補助風向板を備え、
前記左右風向板は、回転軸を中心に前記吹出し口の外へ回動可能な左右風向板台座と、該左右風向板台座に設けられた複数の羽根部と、を有し、
前記お手入れ動作が開始すると、
前記上下補助風向板は、回動して前記左右風向板の回動軌跡よりも外側に移動する
請求項１〜３のいずれか一項に記載の空気調和機の室内機。
【請求項５】
前記上下補助風向板を複数備えた
請求項４に記載の空気調和機の室内機。
【請求項６】
前記指示手段はリモートコントローラである
請求項１〜５のいずれか一項に記載の空気調和機の室内機。
【国際調査報告】
2017130320.tif 000018
2017130320.tif 000019
2017130320.tif 000020
2017130320.tif 000021